(57)【要約】【課題】多雪地域に設置した場合でも、積雪により吸気口部等が塞がれてしまう虞が少なく、空気の取り込みが円滑に行え、積雪により運転が停止してしまう虞のない燃料電池発電システムを提供する。【解決手段】パッケージ１１内に、水素リッチガスと酸素とを反応させて電力を得る燃料電池本体１２と、水素リッチガスを原燃料の改質によって得る燃料処理装置１３と、酸素を外部から吸気する吸気機構２１と、燃料電池本体１２や燃料処理装置１３等からの排出ガスを、排気流路２７を通流させて外部に排気する排気機構２２とを収納したもので、吸気機構２１は、吸気口部２３がパッケージ１１の天井部に設けられている。【選択図】図１
2009076286.tif 000002
【特許請求の範囲】
【請求項１】
パッケージ内に、水素リッチガスと酸素とを反応させて電力を得る燃料電池本体と、前記水素リッチガスを原燃料の改質によって得る燃料処理装置と、前記酸素を外部から吸気する吸気機構と、前記燃料電池本体や前記燃料処理装置等からの排出ガスを、排気流路を通流させて外部に排気する排気機構とを収納した燃料電池発電システムであって、
前記吸気機構は、吸気口部が前記パッケージの天井部に設けられていることを特徴とする燃料電池発電システム。
【請求項２】
前記排気機構は、前記排気流路の少なくとも一部が前記燃料処理装置からの排出ガスと前記燃料電池本体からの排出ガスの一部、または全部によって、前記パッケージの上面部を加熱するよう配置されていることを特徴とする請求項１記載の燃料電池発電システム。
【請求項３】
前記吸気機構の吸気口部は、前記パッケージ上面部に設けられた前記排気機構の排気流路により加熱される部位に設けられていることを特徴とする請求項１及び請求項２記載の燃料電池発電システム。
【請求項４】
前記排気機構の排気流路が配置された前記パッケージの上面部の温度を測定する温度検出手段が備えられていることを特徴とする請求項２記載の燃料電池発電システム。
【請求項５】
前記温度検出手段の検出温度に基づいて、前記パッケージ上面部の前記排気機構の排気流路を通流する前記排出ガスの温度を制御することを特徴とする請求項２及び請求項４記載の燃料電池発電システム。
【請求項６】
前記排気流路を通流する前記排出ガスの温度の制御が、前記パッケージ内の前記排気機構より前記排出ガス排気方向上流位置に前記排出ガス中の水分凝縮時の熱を貯湯タンクに供給する凝縮熱交換器を設け、前記温度検出手段の検出温度に基づいて、前記貯湯タンクへの前記凝縮熱交換器からの熱供給量を制御し、前記パッケージの上面部を所定温度とするものであることを特徴とする請求項２、請求項４、請求項５記載の燃料電池発電システム。
【発明の詳細な説明】
【技術分野】
【０００１】
本発明は、特に積雪地に好適する燃料電池発電システムに関する。
【背景技術】
【０００２】
周知の通り、燃料電池発電システムは、燃料処理装置により改質、生成された水素と酸素の結合エネルギを、燃料電池本体において直接電気エネルギに変換するものである。また、化学反応による発電であるために発電効率が高く、汚染物質の排出及び騒音が少ない環境性に優れた発電装置として評価されている。
【０００３】
そして、燃料供給基盤が整備されている都市ガスやＬＰガス、灯油などの炭化水素系燃料を原燃料とし、水蒸気を用いた改質反応により水素を得て発電を行う燃料電池発電システムについては、家庭用あるいは小規模事業用のシステムとして比較的小型のものの開発が進められている。この家庭用あるいは小規模事業用の燃料電池発電システムでは、電力の供給と共に、発電に伴い生じ、排出される熱を供給、利用するようにしたコージェネレーションシステムとすることが行なわれている。
【０００４】
このコージェネレーションシステムとしての優位性をよりよく発揮させるためには、給湯や床暖房などによる排熱利用を多くすることが効果的である。そのため、特に冬季に多くの排熱利用が見込まれる寒冷地への燃料電池発電システムの設置は、高い総合効率での運転が期待でき、多くの需要が見込まれる。しかし、寒冷地の積雪量が多い地域への燃料電池発電システムの設置に当っては、積雪による影響を考慮する必要がある。
【０００５】
通常、燃料電池本体をパッケージ内に収納したものは、燃料電池の運転に必要な空気を取り込むための吸気口や排出ガスを排気する排気口をパッケージの正面パネルや側面パネルに設けて構成される（例えば、特許文献１参照。）。
【０００６】
そして、こうした構成のものは、例えば、図４に示すように、燃料電池発電システム１のパッケージ２の後面パネル３を家屋４に面した状態で設置することになる。このように、パッケージ２に直接雨が当らないよう家屋４の軒下等に設置した場合、設置位置によっては積雪量が多かった時に雪面５ａが吸気口６等の位置より高くなり、パッケージ２の正面パネル７や側面パネル８に側方に向けて開口させた吸気口６等を塞いでしまう虞がある。
【０００７】
吸気口６等が積もった雪５により塞がれてしまうような状態になると、吸気口６の開口面積が減少して取り込む空気の量が低下してしまう。このように空気量が低下し、最悪の場合、空気の供給が停止される事態となると、燃料電池発電システム１の運転が行えなくなる。
【特許文献１】特開２００６−１４０１６５号公報
【発明の開示】
【発明が解決しようとする課題】
【０００８】
上記のような状況に鑑みて本発明はなされたもので、その目的とするところは、排熱を多く利用することができる寒冷地で高い総合効率での運転が行えると共に、積雪量が多い地域に設置した場合においても、積もった雪によりパッケージに設けた吸気口部等が塞がれてしまう虞が少なく、運転に必要な空気の取り込みが円滑に行え、積雪によって運転が停止してしまう虞のない燃料電池発電システムを提供することにある。
【課題を解決するための手段】
【０００９】
本発明の燃料電池発電システムは、
パッケージ内に、水素リッチガスと酸素とを反応させて電力を得る燃料電池本体と、前記水素リッチガスを原燃料の改質によって得る燃料処理装置と、前記酸素を外部から吸気する吸気機構と、前記燃料電池本体や前記燃料処理装置等からの排出ガスを、排気流路を通流させて外部に排気する排気機構とを収納した燃料電池発電システムであって、
前記吸気機構は、吸気口部が前記パッケージの天井部に設けられていることを特徴とするものである。
【００１０】
さらに、前記排気機構は、前記排気流路の少なくとも一部が前記燃料処理装置からの排出ガスと前記燃料電池本体からの排出ガスの一部、または全部によって、前記パッケージの上面部を加熱するよう配置されていることを特徴とするものであり、
さらに、前記吸気機構の吸気口部は、前記パッケージ上面部に設けられた前記排気機構の排気流路により加熱される部位に設けられていることを特徴とするものであり、
さらに、前記排気機構の排気流路が配置された前記パッケージの上面部の温度を測定する温度検出手段が備えられていることを特徴とするものであり、
さらに、前記温度検出手段の検出温度に基づいて、前記パッケージ上面部の前記排気機構の排気流路を通流する前記排出ガスの温度を制御することを特徴とするものであり、
さらに、前記排気流路を通流する前記排出ガスの温度の制御が、前記パッケージ内の前記排気機構より前記排出ガス排気方向上流位置に前記排出ガス中の水分凝縮時の熱を貯湯タンクに供給する凝縮熱交換器を設け、前記温度検出手段の検出温度に基づいて、前記貯湯タンクへの前記凝縮熱交換器からの熱供給量を制御し、前記パッケージの上面部を所定温度とするものであることを特徴とするものである。
【発明の効果】
【００１１】
本発明によれば、寒冷地での高い総合効率での運転が行えると共に、積雪量が多い地域においても、積もった雪によってパッケージに設けた吸気口部等が塞がれ、運転に必要な空気の取り込みが円滑に行えず運転が停止してしまうといった虞がない等の効果を有する。
【発明を実施するための最良の形態】
【００１２】
以下本発明の一実施形態を、図１乃至図３を参照して説明する。図1は構成図であり、図２は要部の縦断面図であり、図３は要部の斜視図である。
【００１３】
図１乃至図３において、燃料電池発電システム１０は、直方体状のパッケージ１１内に、燃料電池本体１２と、燃料処理装置１３と、凝縮熱交換器１４を備えて構成されている。燃料電池本体１２は、アノード電極１２ａと、カソード電極１２ｂとを備え、かつ両電極１２ａ，１２ｂの間に電解質膜１２ｃを挟持しており、アノード電極１２ａに燃料処理装置１３から供給された燃料である水素リッチガスの水素と、カソード電極１２ｂに外部から取り込まれ供給された空気の酸素の結合エネルギを直接電気エネルギに変換する。
【００１４】
燃料処理装置１３は、都市ガスやＬＰガス、灯油などの外部から供給された炭化水素系燃料の原燃料を、シフト器、選択酸化器、改質器を備え、水蒸気を用いた改質反応により水素リッチガスに改質する改質部１３ａと、吸熱反応である改質反応を行うために必要な燃焼熱を作るためのバーナ部１３ｂを備えている。また、凝縮熱交換器１４は、熱交換器本体１５と水タンク１６を備え、熱交換器本体１５の内部に設けられた熱交換部１５ａによって凝縮された凝縮水１７が水タンク１６に蓄えられるようになっている。
【００１５】
さらに、熱交換部１５ａは、燃料電池発電システム１０のパッケージ１１外に設けられ、水道等から所要とする量の水が供給され貯水できる貯湯タンク１８内と、循環パイプ１９を介して接続されている。これにより、熱交換部１５ａと貯湯タンク１８との間を、ポンプ（図示せず）を用い、あるいは熱交換部１５ａと貯湯タンク１８間の温度差による自然対流を使って水が循環し、貯湯タンク１８内に温水が貯溜できるようになっている。なお、循環パイプ１９には、流量制御弁１９ａを挿入し、流量制御弁１９ａの開度を調節することで、又はポンプ出力を変化させることで、貯湯タンク１８から熱交換部１５ａへの通水量が変えられるようになっている。
【００１６】
また、パッケージ１１には、その内部に吸排気装置２０が設けられていて、吸排気装置２０は、吸気機構２１と排気機構２２を備えて構成されている。吸気機構２１は、パッケージ１１の天井部に設けられた吸気口部２３を形成する吸気流路２４の端部である吸気口２５を介して吸気したパッケージ１１外の空気Ａを、吸気流路２４を通じて燃料電池本体１２のカソード電極１２ｂと、燃料処理装置１３の改質部１３ａ、バーナ部１３ｂに供給するようになっている。
【００１７】
また排気機構２２は、同じくパッケージ１１の天井部に排気口部２６を備えていて、燃料電池本体１２のカソード電極１２ｂから排出されたカソード排ガスと、燃料処理装置１３のバーナ部１３ｂから排出された燃焼排ガスの排出ガスＢを、排気流路２７の途中に挿入された凝縮熱交換器１４に送出するようになっている。
【００１８】
さらに、排気機構２２の排気口部２６は、パッケージ１１の天井と一体構造となるように形成し、パッケージ１１の天井面１１ａに沿った流路を有するようにした断面形状が方形のダクト２９を備えている。このダクト２９は、排出ガスＢの排気流路２７の一部を構成していて、一端が閉塞されていると共に一端側に熱交換器本体１５からの排出ガスＢが流入口２９ａから流入するようになっており、また他端が排気口２８となっていて、パッケージ１１の正面パネル１１ｂの上部において外方に向け開口している。
【００１９】
このため、ダクト２９に流入した排出ガスＢは、パッケージ１１の天井面１１ａに沿って流れた後に排気口２８からパッケージ１１外に排気される。なお、排気口２８の上辺部分には、正面パネル１１ｂ面から突出するように庇２９ｂが設けられている。
【００２０】
一方、吸気機構２１のパッケージ１１の天井部に設けられた吸気口部２３は、排気口部２６のダクト２９の中間部を上下方向に片端部が貫通し、パッケージ１１の天井面１１ａから延出した円形管３０を備えている。この円形管３０は、吸気流路２４の一部を構成していて、天井面１１ａから延出したが上方に向けて開口する吸気口２５となっている。さらに、円形管３０の片端の上方には、吸気口２５を所定間隙を設けて覆うように角形の天蓋３１が設けられており、これにより、パッケージ１１外の空気Ａは天蓋３１の下向き開口から吸入され吸気口２５へと導かれる。
【００２１】
また、吸気口部２３の円形管３０が貫通する排気口部２６のダクト２９の中間部近傍、例えばパッケージ１１の天井面１１ａの円形管３０貫通部位近傍には、温度検出手段として熱電対等の温度検出器３２が取り付けられており、ダクト２９部分の天井面１１ａの温度が検出できるようになっている。そして、温度検出器３２で検出された温度は、制御部３３に伝達されるようになっている。
【００２２】
次に、上記のように構成された燃料電池発電システム１０の動作を説明する。先ず、燃料処理装置１３において、バーナ部１３ｂでの燃焼熱で加熱しながら、外部から供給された炭化水素系燃料の原燃料と水蒸気を混合し、改質部１３ａでの吸熱反応である水蒸気改質反応によって水素を主成分とした水素リッチガスとする。そして、水素リッチガスを、燃料電池本体１２のアノード電極１２ａに供給し、また吸気機構２１の吸気口部２３を介して取り込み吸気流路２４を通流させた空気Ａを、カソード電極１２ｂに供給して、水素リッチガス中の水素と空気中の酸素との間で電気化学反応を発生させ、直流起電力を発生させる。
【００２３】
この際、原燃料は、一部が燃料処理装置１３のバーナ部１３ｂに燃料として供給され、燃料電池本体１２のアノード電極１２ａで生じた反応後のアノード排ガスもバーナ部１３ｂに燃料として供給されて混合燃焼される。また吸気口部２３を介して取り込んだ空気Ａについては、バーナ部１３ｂに燃焼用として供給されると共に、一部は改質部１３ａの選択酸化器に、水素リッチガスを生成時のＣＯ（一酸化炭素）濃度を適正濃度とするため、ＣＯの選択酸化用として供給される。
【００２４】
また、燃料電池本体１２のカソード電極１２ｂから排出された反応後のカソード排ガスと、燃料処理装置１３のバーナ部１３ｂから排出された燃焼排ガスの排出ガスＢは、排気流路２７を介して凝縮熱交換器１４の熱交換器本体１５内に流入する。そして、凝縮熱交換器１４に流入した排出ガスＢは、熱交換器本体１５内を通流する間に、熱交換部１５ａで循環パイプ１９により貯湯タンク１８内との間を循環する水と熱交換を行う。この熱交換で生じた凝縮水１７は熱交換器本体１５に接続された水タンク１６に流下して貯溜される。
【００２５】
一方、熱交換で温度の低下した排出ガスＢは、さらに排気流路２７を通流し、排気機構２２の排気口部２６を形成するダクト２９内に流入口２９ａから流入する。ダクト２９内に流入した排出ガスＢは、パッケージ１１の天井面１１ａに沿って通流し、その間にパッケージ１１の天井面１１ａは暖め、その後に排気口２８からパッケージ１１外に排気される。
【００２６】
また、天井面１１ａの温度は温度検出器３２により検出されており、その検出結果は制御部３３に伝達される。そして制御部３３では、検出温度が所要とする温度より低い場合には、天井面１１ａを暖める排出ガスＢの温度を上昇させるべく、凝縮熱交換器１４の熱交換部１５ａでの貯湯タンク１８と水との熱交換量を減らす制御を行う。熱交換量を減らす制御は、循環パイプ１９に挿入された流量制御弁１９ａの開度を調節又はポンプの出力を調節し、熱交換部１５ａでの通水量を減ずるように行うもので、これにより、熱交換部１５ａでの熱交換量が、天井面１１ａの温度が適正温度となる排出ガスＢの温度が得られる熱交換量となる。なお、天井面１１ａの温度を下げる場合には、熱交換量が増すように通水量の制御を行う。これに伴って貯湯タンク１８内の水の温度も上昇し、比較的短時間での貯湯を行うことができる。
【００２７】
以上のように構成することで、燃料電池発電システム１０を寒冷地に設置した場合、例えばパッケージ１１の全高まで周囲に積雪があるような状況でも、吸気口部２３の吸気口２５は雪面よりも上方に位置するため、天蓋３１の下向き開口や吸気口２５を介しての吸気を円滑に行うことができる。
【００２８】
また、パッケージ１１の天井面１１ａ上に積雪があるような状況であっても、温度検出器３２により吸気口部２３の円形管３０貫通部位近傍の天井面１１ａ温度を随時検知しながら天井面１１ａの融雪状況をチェックし、天井面１１ａの温度が常に融雪可能な温度となるように、制御部３３で流量制御弁１９ａの開度又はポンプ出力を調節制御し、排出ガスＢの温度を適正温度に維持することができる。これにより、吸気口部２３が設けられたパッケージ１１の天井面１１ａには積雪がなく、天蓋３１の下向き開口、吸気口２５を介しての吸気を円滑に行うことができる。
【００２９】
その結果、運転に伴い排気される排出ガスＢの熱を、熱交換によって貯湯等の手段によって活用しながら、積雪があっても、排出ガスＢの熱を使って融雪することによって燃料電池本体１２での発電に要する空気を十分に確保することができ、運転停止の事態を引き起こすことなく、安定した運転を行うことができる。
【００３０】
また、排気機構２２の排気口部２６をパッケージ１１の天井部に設け、排気口２８をパッケージ１１の正面パネル１１ｂの上部に側方に向け開口させているので、排気口２８の位置まで積雪面がくるような場合でも、排気口２８から排気される比較的高い温度の排出ガスＢによって排気口２８前方の雪を溶かすことができる。これにより、排気口２８からの排出ガスＢの排気についても円滑に行うことができる。
【００３１】
さらに、融雪のために別途の熱源や装置を付加する必要がなく、低コストで積雪地でも安定した運転を行うことができる燃料電池発電システム１０を実現することができる。
【００３２】
なお、上記の実施形態においては、カソード排ガスと燃焼排ガスの排出ガスＢが、全て凝縮熱交換器１４の熱交換器本体１５内に流入するように構成したが、排出ガスＢの一部を熱交換器本体１５内に流入させるようにしてもよい。
【図面の簡単な説明】
【００３３】
【図１】本発明の一実施形態を示す構成図である。
【図２】本発明の一実施形態における要部の縦断面図である。
【図３】本発明の一実施形態における要部の斜視図である。
【図４】従来技術を説明する図である。
【符号の説明】
【００３４】
１１…パッケージ
１２…燃料電池本体
１３…燃料処理装置
１４…凝縮熱交換器
２１…吸気機構
２２…排気機構
２３…吸気口部
２５…吸気口
２７…排気流路
【図１】
2009076286.tif 000003
【図２】
2009076286.tif 000004
【図３】
2009076286.tif 000005
【図４】
2009076286.tif 000006